(57)【要約】【課題】パレットに積載される太陽電池モジュールがずれるのを抑制することが可能な太陽電池モジュールの搬送方法を提供する。【解決手段】太陽電池モジュールの搬送方法は、一対の爪が設けられたリフト装置を用いてパレットに積載された複数の太陽電池モジュールを搬送するものであって、一対の爪の間に複数の太陽電池モジュールの重心が配置されるように、パレットに設けられた挿入口に一対の爪を挿入するステップと、一対の爪を持ち上げることにより、パレットを持ち上げるステップと、パレットを持ち上げた状態で太陽電池モジュールを搬送するステップとを備える。【選択図】図３
2014080198.tif 000002
【特許請求の範囲】
【請求項１】
一対の爪が設けられたリフト装置を用いてパレットに積載された複数の太陽電池モジュールを搬送する太陽電池モジュールの搬送方法であって、
前記一対の爪の間に前記複数の太陽電池モジュールの重心が配置されるように、前記パレットに設けられた挿入口に前記一対の爪を挿入するステップと、
前記一対の爪を持ち上げることにより、前記パレットを持ち上げるステップと、
前記パレットを持ち上げた状態で前記太陽電池モジュールを搬送するステップとを備えることを特徴とする太陽電池モジュールの搬送方法。
【請求項２】
請求項１に記載の太陽電池モジュールの搬送方法であって、
前記太陽電池モジュールは、平面的に見て五角形状であることを特徴とする太陽電池モジュールの搬送方法。
【請求項３】
請求項２に記載の太陽電池モジュールの搬送方法であって、
前記太陽電池モジュールは、垂直方向に積み重ねられる第１太陽電池モジュール群および第２太陽電池モジュール群を構成し、
前記第１太陽電池モジュール群および前記第２太陽電池モジュール群は、斜辺が対向するように隣接配置されることを特徴とする太陽電池モジュールの搬送方法。
【請求項４】
請求項３に記載の太陽電池モジュールの搬送方法であって、
前記一対の爪の間に前記第１太陽電池モジュール群の重心および前記第２太陽電池モジュール群の重心が配置されることを特徴とする太陽電池モジュールの搬送方法。
【請求項５】
底面部と上面部とによって挟まれる領域に一対の補強部材が設けられたパレットと、
前記パレットに積載される複数の太陽電池モジュールとを備え、
前記複数の太陽電池モジュールの重心が、前記一対の補強部材により挟まれる領域の上方に配置されていることを特徴とする太陽電池モジュールの積載構造。
【発明の詳細な説明】
【技術分野】
【０００１】
本発明は、太陽電池モジュールの搬送方法および太陽電池モジュールの積載構造に関する。
【背景技術】
【０００２】
従来、フォークリフトやハンドリフトなどのリフト装置を用いてパレットに積載された荷物を搬送する搬送方法が知られている（たとえば、特許文献１参照）。
【０００３】
特許文献１には、パレットに積み重ねられた複数の窯業系建材の搬送方法が開示されている。このパレットでは、横桟が所定の間隔を隔てて複数配置されるとともに、それらの横桟の上下面にそれぞれ縦板材が複数設けられており、縦板材および横桟によってフォークリフトの爪が差し込まれる差込口が形成されている。この搬送方法では、まず、窯業系建材が積み重ねられたパレットの差込口にフォークリフトの爪が挿入される。そして、フォークリフトの爪が持ち上げられることにより、パレットが持ち上げられる。その後、パレットを持ち上げた状態でフォークリフトが移動されることにより、パレットに積載される窯業系建材が搬送される。
【先行技術文献】
【特許文献】
【０００４】
【特許文献１】特開２０１１−２５９８９号公報
【発明の概要】
【発明が解決しようとする課題】
【０００５】
ここで、特許文献１に開示された従来の搬送方法を太陽電池モジュールの搬送に適用した場合において、パレットに多数の太陽電池モジュールが積み重ねられている場合には、パレットが持ち上げられるときに太陽電池モジュールがずれることが考えられる。そして、積み重ねられる太陽電池モジュールのずれが大きくなると、太陽電池モジュールが落ちる場合がある。
【０００６】
本発明は、上記の課題を解決するためになされたものであり、本発明の目的は、パレットに積載される太陽電池モジュールがずれるのを抑制することが可能な太陽電池モジュールの搬送方法および太陽電池モジュールの積載構造を提供することである。
【課題を解決するための手段】
【０００７】
上記した目的を達成するために、本発明による太陽電池モジュールの搬送方法は、一対の爪が設けられたリフト装置を用いてパレットに積載された複数の太陽電池モジュールを搬送する太陽電池モジュールの搬送方法であって、一対の爪の間に複数の太陽電池モジュールの重心が配置されるように、パレットに設けられた挿入口に一対の爪を挿入するステップと、一対の爪を持ち上げることにより、パレットを持ち上げるステップと、パレットを持ち上げた状態で太陽電池モジュールを搬送するステップとを備える。
【０００８】
上記太陽電池モジュールの搬送方法において、太陽電池モジュールは、平面的に見て五角形状であってもよい。
【０００９】
上記五角形状の太陽電池モジュールの搬送方法において、太陽電池モジュールは、垂直方向に積み重ねられる第１太陽電池モジュール群および第２太陽電池モジュール群を構成し、第１太陽電池モジュール群および第２太陽電池モジュール群は、斜辺が対向するように隣接配置されるようにしてもよい。
【００１０】
この場合において、一対の爪の間に第１太陽電池モジュール群の重心および第２太陽電池モジュール群の重心が配置されるようにしてもよい。
【００１１】
また、本発明による太陽電池モジュールの積載構造は、底面部と上面部とによって挟まれる領域に一対の補強部材が設けられたパレットと、パレットに積載される複数の太陽電池モジュールとを備え、複数の太陽電池モジュールの重心が、一対の補強部材により挟まれる領域の上方に配置されている。
【発明の効果】
【００１２】
本発明の太陽電池モジュールの搬送方法および太陽電池モジュールの積載構造によれば、パレットに積載される太陽電池モジュールがずれるのを抑制することができる。
【図面の簡単な説明】
【００１３】
【図１】本発明の実施の形態１による太陽電池モジュールの積載構造を示した斜視図である。
【図２】図１のパレットを示した斜視図である。
【図３】図１のパレットにリフト装置の爪が挿入された状態を説明するための図である。
【図４】本発明の実施の形態２による太陽電池モジュールの積載構造を示した斜視図である。
【図５】図４のパレットを示した斜視図である。
【図６】図４のパレットの短手方向にリフト装置の爪が挿入された状態を説明するための図である。
【図７】図４のパレットの長手方向にリフト装置の爪が挿入された状態を説明するための図である。
【発明を実施するための形態】
【００１４】
以下、本発明の実施の形態について図面を参照して説明する。
【００１５】
＜実施の形態１＞
まず、図１〜図３を参照して、本発明の実施の形態１による太陽電池モジュールの積載構造（以下、単に「積載構造」という）１００について説明する。
【００１６】
積載構造１００は、図１に示すように、パレット１と、パレット１上に積載される複数の太陽電池モジュール２とを備えている。
【００１７】
パレット１は、図２に示すように、平面的に見て長方形状に形成された木製の二方差しパレットである。このパレット１は、底面部１１と、底面部１１上に設けられた支持部１２と、支持部１２上に設けられた上面部１３とを含んでいる。なお、パレット１の長手方向（Ｘ方向）を横方向といい、パレット１の短手方向（Ｙ方向）を縦方向という。
【００１８】
底面部１１は、複数の板部材１１ａにより構成されている。複数の板部材１１ａは、横方向に延びるように形成されるとともに、縦方向に所定の間隔を隔てて配置されている。各板部材１１ａは、たとえば釘などにより支持部１２に取り付けられている。
【００１９】
支持部１２は、横方向の端部に配置される一対の側壁部材１２ａと、一対の側壁部材１２ａの間に配置される複数（たとえば、２つ）の補強部材１２ｂとにより構成されている。側壁部材１２ａおよび補強部材１２ｂは、縦方向に延びるように形成されており、底面部１１および上面部１３を連結する機能を有する。そして、側壁部材１２ａと補強部材１２ｂとの間であって、底面部１１および上面部１３の間には、フォークリフトやハンドリフトなどのリフト装置１５０の爪１５０ａ（図３参照）が挿入される挿入口１４が形成されている。このため、挿入口１４は、縦方向に延びるように２つ設けられている。
【００２０】
上面部１３は、複数の板部材１３ａにより構成されている。複数の板部材１３ａは、横方向に延びるように形成されるとともに、縦方向に所定の間隔を隔てて配置されている。各板部材１３ａは、たとえば釘などにより支持部１２に取り付けられている。
【００２１】
なお、パレット１では、上面部１３における板部材１３ａの間隔に比べて、底面部１１における板部材１１ａの間隔が大きくされており、たとえば、リフト装置１５０の爪１５０ａの先端部にローラ（図示省略）が設けられている場合に、そのローラを板部材１１ａの間に配置することが可能である。
【００２２】
太陽電池モジュール２は、図１に示すように、平面的に見て五角形状に形成されており、３つの角部が直角であり、２つの角部が鈍角である。この太陽電池モジュール２は、たとえば、太陽電池アレイの端部に配置されるコーナーモジュールである。各太陽電池モジュール２は、梱包体２１により梱包されるとともに、その梱包体２１がＰＰバンド２２により縛られている。
【００２３】
梱包体２１は、太陽電池モジュール２の底面および側面の全体を覆うとともに、太陽電池モジュール２の表面の周囲を覆うように構成されている。この梱包体２１は、たとえば、紙製またはプラスチック製の段ボールが折り曲げられることにより形成されている。なお、梱包体２１が太陽電池モジュール２の表面の全体を覆うようにしてもよい。
【００２４】
太陽電池モジュール２は、垂直方向（Ｚ方向）に積み重ねられる第１太陽電池モジュール群２ａおよび第２太陽電池モジュール群２ｂを構成する。第１太陽電池モジュール群２ａおよび第２太陽電池モジュール群２ｂは、２０枚の太陽電池モジュール２が積み重ねられ、斜辺が対向するように横方向において隣接配置されている。
【００２５】
ここで、積載構造１００では、パレット１の横方向において一対の補強部材１２ｂが所定の間隔を隔てて配置されており、その一対の補強部材１２ｂにより挟まれる領域の上方に第１太陽電池モジュール群２ａの重心Ｇａ（図３参照）および第２太陽電池モジュール群２ｂの重心Ｇｂ（図３参照）が配置されている。
【００２６】
−搬送方法−
次に、本発明の実施の形態１による太陽電池モジュールの搬送方法について説明する。
【００２７】
まず、図１に示すように、パレット１上に複数の太陽電池モジュール２が積載される。具体的には、太陽電池モジュール２が積み重ねられることにより、第１太陽電池モジュール群２ａおよび第２太陽電池モジュール群２ｂが形成されるとともに、第１太陽電池モジュール群２ａおよび第２太陽電池モジュール群２ｂは斜辺が対向するように横方向において隣接配置される。
【００２８】
そして、パレット１の挿入口１４にリフト装置１５０の一対の爪１５０ａ（図３参照）が挿入される。このとき、図３に示すように、第１太陽電池モジュール群２ａの重心Ｇａおよび第２太陽電池モジュール群２ｂの重心Ｇｂが一対の爪１５０ａの間に配置される。
【００２９】
次に、リフト装置１５０の爪１５０ａが持ち上げられることにより、パレット１が持ち上げられる。その後、リフト装置１５０が移動することにより、パレット１および太陽電池モジュール２が持ち上げられた状態で搬送される。
【００３０】
−効果−
実施の形態１では、上記のように、一対の爪１５０ａの間に重心ＧａおよびＧｂを配置することによって、一対の爪の外側に太陽電池モジュールの重心が配置される場合に比べて、太陽電池モジュール２を搬送する際に、パレット１に積み重ねられる太陽電池モジュール２がずれるのを抑制することができるので、太陽電池モジュール２が落ちるのを抑制することができる。これは、一対の爪１５０ａからパレット１に振動が加えられた場合に、第１太陽電池モジュール群２ａおよび第２太陽電池モジュール群２ｂに互いに向き合う方向（内側）に力が作用し、その力を打ち消し合うためであると考えられる。なお、太陽電池モジュール２を搬送する際には、太陽電池モジュール２が積載されたパレット１をリフト装置１５０により持ち上げるとき、および、パレット１を持ち上げた状態でリフト装置１５０が移動するときが含まれる。
【００３１】
また、実施の形態１では、重心ＧａおよびＧｂを一対の補強部材１２ｂにより挟まれる領域の上方に配置することによって、一対の爪１５０ａの間に重心ＧａおよびＧｂを配置することが容易にできる。
【００３２】
また、実施の形態１では、第１太陽電池モジュール群２ａおよび第２太陽電池モジュール群２ｂを斜辺が対向するように横方向において隣接配置することによって、パレット１上に五角形状の太陽電池モジュール２を効率的に積載することができる。さらに、五角形状の第１太陽電池モジュール群２ａおよび第２太陽電池モジュール群２ｂを、斜辺が対向するように隣接配置することによって、搬送時に振動が加わったときにも、より位置ずれがおきにくくなるという効果を得ることができる。
【００３３】
また、実施の形態１では、２つの補強部材１２ｂを設けることによって、一対の爪１５０ａをそれぞれ一対の挿入口１４に挿入するように作業者に促すことができる。すなわち、２つの補強部材１２ｂの間に爪１５０ａを挿入可能な空間が形成されているが、その空間と挿入口１４の一方とに爪１５０ａを挿入した場合には、パレット１を持ち上げる際にパレット１が傾くことが予想されるため、通常の作業者であれば一対の爪１５０ａをそれぞれ一対の挿入口１４に挿入すると考えられる。
【００３４】
＜実施の形態２＞
次に、図４〜図７を参照して、本発明の実施の形態２による積載構造２００について説明する。なお、以下では、実施の形態１と同一部分には同一符号を付して重複する説明を省略する。
【００３５】
積載構造２００は、図４に示すように、パレット３０と、パレット３０上に積載される複数の太陽電池モジュール２とを備えている。
【００３６】
パレット３０は、図５に示すように、平面的に見て長方形状に形成された木製の四方差しパレットである。このパレット３０は、底面部３１と、底面部３１上に設けられた支持部３２と、支持部３２上に設けられた上面部３３とを含んでいる。なお、パレット３０の長手方向（Ｘ方向）を横方向といい、パレット３０の短手方向（Ｙ方向）を縦方向という。
【００３７】
底面部３１は、平面的に見て格子状に構成されており、板部材３１ａと、板部材３１ａ上に設けられた板部材３１ｂとを有する。具体的には、板部材３１ａは、縦方向に延びるように形成されるとともに、横方向に所定の間隔を隔てて複数配置されている。一方、板部材３１ｂは、横方向に延びるように形成されるとともに、縦方向に所定の間隔を隔てて複数配置されている。
【００３８】
支持部３２は、平面的に見て板部材３１ａおよび３１ｂが重なる領域に配置されており、４つの角部に配置される支持部材３２ａと、それ以外の補強部材３２ｂおよび３２ｃとを有する。そして、支持部材３２ａと補強部材３２ｂとの間であって、底面部３１および上面部３３の間には、リフト装置１５０の爪１５０ａ（図６参照）が挿入される挿入口３４ａが形成されている。また、支持部材３２ａと補強部材３２ｃとの間であって、底面部３１および上面部３３の間には、リフト装置１５０の爪１５０ａ（図７参照）が挿入される挿入口３４ｂが形成されている。
【００３９】
上面部３３は、板部材３３ａと、板部材３３ａ上に設けられた板部材１３ａとを有する。具体的には、板部材３３ａは、縦方向に延びるように形成されるとともに、横方向に所定の間隔を隔てて複数配置されており、平面的に見て板部材３１ａと対応する位置に配置されている。すなわち、板部材３３ａは、板部材１３ａと支持部３２とを連結するために設けられている。
【００４０】
なお、パレット３０では、上面部３３における板部材１３ａの間隔に比べて、底面部３１における板部材３１ｂの間隔が大きくされており、たとえば、リフト装置１５０の爪１５０ａの先端部にローラ（図示省略）が設けられている場合に、平面的に見て板部材３１ａおよび３１ｂにより囲まれる領域にそのローラを配置することが可能である。
【００４１】
ここで、積載構造２００では、パレット３０の横方向において一対の補強部材３２ｂが所定の間隔を隔てて配置されており、正面視（Ｙ方向から見た場合）において、その一対の補強部材３２ｂにより挟まれる領域の上方に第１太陽電池モジュール群２ａの重心Ｇａ（図６参照）および第２太陽電池モジュール群２ｂの重心Ｇｂ（図６参照）が配置されている。
【００４２】
また、一対の補強部材３２ｂが配置されていることにより、リフト装置１５０の一対の爪１５０ａは、一対の補強部材３２ｂにより挟まれる領域には入り込まないこととなる。よって、リフト装置１５０の一対の爪１５０ａで挟まれる領域の上方に、第１太陽電池モジュール群２ａの重心Ｇａおよび第２太陽電池モジュール群２ｂの重心Ｇｂが配置されることとなり、第１太陽電池モジュール群２ａおよび第２太陽電池モジュール群２ｂのずれを防止することが可能となる。
【００４３】
−搬送方法−
次に、本発明の実施の形態２による太陽電池モジュールの搬送方法について説明する。
【００４４】
まず、図４に示すように、パレット３０上に複数の太陽電池モジュール２が積載される。具体的には、太陽電池モジュール２が積み重ねられることにより、第１太陽電池モジュール群２ａおよび第２太陽電池モジュール群２ｂが形成されるとともに、第１太陽電池モジュール群２ａおよび第２太陽電池モジュール群２ｂは斜辺が対向するように横方向において隣接配置される。
【００４５】
ここで、実施の形態２によるパレット３０は四方差しであることから、パレット３０の短手方向（Ｙ方向）にリフト装置１５０の爪１５０ａを挿入することが可能であるとともに、パレット３０の長手方向（Ｘ方向）にリフト装置１５０の爪１５０ａを挿入することが可能である。
【００４６】
［パレット３０の短手方向に爪１５０ａを挿入する場合］
この場合には、パレット３０の挿入口３４ａ（図５参照）にリフト装置１５０の一対の爪１５０ａ（図６参照）が挿入される。このとき、図６に示すように、第１太陽電池モジュール群２ａの重心Ｇａおよび第２太陽電池モジュール群２ｂの重心Ｇｂが一対の爪１５０ａの間に配置される。
【００４７】
ここで、一対の補強部材３２ｂが配置されていることにより、リフト装置１５０の操作ミス等により、一対の爪１５０ａが内側に入り込むことを防ぐことができる。よって、リフト装置１５０の一対の爪１５０ａで挟まれる領域の上方に、第１太陽電池モジュール群２ａの重心Ｇａおよび第２太陽電池モジュール群２ｂの重心Ｇｂが配置されなくなることを防ぐことが可能となる。
【００４８】
次に、リフト装置１５０の爪１５０ａが持ち上げられることにより、パレット３０が持ち上げられる。その後、リフト装置１５０が移動することにより、パレット３０および太陽電池モジュール２が持ち上げられた状態で搬送される。
【００４９】
［パレット３０の長手方向に爪１５０ａを挿入する場合］
この場合には、パレット３０の挿入口３４ｂ（図５参照）にリフト装置１５０の一対の爪１５０ａ（図７参照）が挿入される。このとき、図７に示すように、第１太陽電池モジュール群２ａの重心Ｇａおよび第２太陽電池モジュール群２ｂの重心Ｇｂが一対の爪１５０ａの間に配置される。
【００５０】
次に、リフト装置１５０の爪１５０ａが持ち上げられることにより、パレット３０が持ち上げられる。その後、リフト装置１５０が移動することにより、パレット３０および太陽電池モジュール２が持ち上げられた状態で搬送される。
【００５１】
なお、実施の形態２の効果は、実施の形態１と同様である。
【００５２】
＜他の実施の形態＞
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【００５３】
たとえば、実施の形態１では、重心ＧａおよびＧｂを一対の補強部材１２ｂにより挟まれる領域の上方に配置する例を示したが、これに限らず、重心ＧａおよびＧｂを一対の爪１５０ａの間に配置するようにすれば、重心ＧａおよびＧｂが挿入口１４と横方向において対応する位置に配置されていてもよい。なお、実施の形態２についても同様である。
【００５４】
また、実施の形態１では、２つの補強部材１２ｂの間に空間が形成される例を示したが、これに限らず、２つの補強部材１２ｂの間を埋めるようにしてもよい。すなわち、２つの補強部材１２ｂの間を埋めるような１つの補強部材を設けるようにしてもよい。このように構成すれば、作業者が爪の挿入場所を間違えるのを防止することができる。なお、実施の形態２についても同様である。
【００５５】
また、実施の形態１では、パレット１に２つの太陽電池モジュール群（２ａおよび２ｂ）が積み重ねられる例を示したが、これに限らず、パレットに１つまたは３つ以上の太陽電池モジュール群が積み重ねられるようにしてもよい。なお、実施の形態２についても同様である。
【００５６】
また、実施の形態１では、パレット１が木製である例を示したが、これに限らず、パレットがプラスチック製であってもよい。なお、実施の形態２についても同様である。
【００５７】
また、実施の形態１では、パレット１が平面的に見て長方形状である例を示したが、これに限らず、パレットが平面的に見て正方形などであってもよい。なお、実施の形態２についても同様である。
【００５８】
また、実施の形態１および２では、太陽電池モジュール２が平面的に見て五角形状である例を示したが、これに限らず、太陽電池モジュールが平面的に見て五角形以外の多角形状であってもよい。
【００５９】
また、実施の形態１および２では、２０枚の太陽電池モジュール２が積み重ねられる例を示したが、これに限らず、積み重ねられる太陽電池モジュールの枚数はいくつであってもよい。
【００６０】
また、実施の形態１および２では、各太陽電池モジュール２が梱包体２１により梱包される例を示したが、これに限らず、複数枚の太陽電池モジュールが１つの梱包体により梱包されていてもよい。
【００６１】
また、実施の形態１および２において、第１太陽電池モジュール群２ａと第２太陽電池モジュール群２ｂとの間に緩衝部材が設けられていてもよい。このように構成すれば、太陽電池モジュール２を搬送する際に、第１太陽電池モジュール群２ａの太陽電池モジュール２と、第２太陽電池モジュール群２ｂの太陽電池モジュール２とが接触した際に破損するのを抑制することができる。
【００６２】
また、実施の形態１および２において、第１太陽電池モジュール群２ａおよび第２太陽電池モジュール群２ｂがそれぞれ梱包用フィルムによって包まれていてもよい。
【符号の説明】
【００６３】
１、３０  パレット
２        太陽電池モジュール
２ａ      第１太陽電池モジュール群
２ｂ      第２太陽電池モジュール群
１１、３１  底面部
１２ｂ、３２ｂ  補強部材
１３、３３  上面部
１４、３４ａ、３４ｂ  挿入口
１００、２００  積載構造
１５０    リフト装置
１５０ａ  爪
【図１】
2014080198.tif 000003
【図２】
2014080198.tif 000004
【図３】
2014080198.tif 000005
【図４】
2014080198.tif 000006
【図５】
2014080198.tif 000007
【図６】
2014080198.tif 000008
【図７】
2014080198.tif 000009